(57)【要約】      （修正有）【課題】観葉植物の育成における、水やりの時期について一般の方はなかなか判断ができない。このため水分不足で枯らせてしまう又、水分過多での根腐れ等をおこしてしまうとの問題があった。このため簡易に水やり時期を知らせてくれるものを提供する。【解決手段】植物の育成に大切な「水やり」作業に関わる、水やりの判断をより正確で簡単にするために、土中水分が電気を通し、その水分量が少なくなるに従って電気抵抗値が上がることを利用し、土（用土）の違いによる感度の調整を可変抵抗を変えることで行い、植物によって異なる土中水分（土湿度）の値を各環境に合わせ変更することが可能であり又、自分流の水やり方式ができる。【選択図】なし【実用新案登録請求の範囲】
【請求項１】
観葉植物の育成における水やり時期の目安として、土壌水分の乾燥による電気抵抗値の変化により、ＬＥＤを点滅発光する回路を有することを特徴とする水やりセンサー。
【請求項２】
該水やりセンサーにおいて外形をキャラクター人形にし目の部分にＬＥＤを取りつけたことを特徴とする。
【請求項３】
観葉植物の土壌適正水分量は、観葉植物の種類毎に違うため抵抗値を数段階に切り替えられ、適正水分付近に近づける機能を有することを特徴とする。
【請求項４】
キャナクター人形の中にスピーカーを内蔵させＬＥＤでの発光以外に音によっても水やりの時期がわかることを特徴とする
【考案の詳細な説明】
【技術分野】
【０００１】本考案は、観葉植物の屋内育成における、水やり時期をキャラクター等に内蔵したＬＥＤランプにより、水分量が少なくなったとき点滅させ水やり時期を知らせる簡易表示機の方式と装置である。
【背景技術】
【０００２】従来のものは、全般的に土湿度（土中水分）量を計測するもので、植物用に作られている物はまれである又、植物用であっても大掛かりな装置と成っており、家庭用の観葉植物の育成のための「水やり」には、下記（イ）（ロ）（ハ）の点で不十分である。
（イ）構造上、用土、または、植物の種類によって感度調節を簡単にできない。
（ロ）水分量の測定値を個別に植物のタイプに当てはめて換算が必要となる。
乾き等の植物の種類で異なり、適正水分量がわからない
（ハ）観葉植物育成のための土（用土）の湿度は、各家庭において異なる。
従来のものでは、土中水分量は、計測不可能である。
【考案の開示】
【考案が解決しようとする課題】
【０００３】本案は、植物の育成に大切な「水やり」作業に関わる、水やりの判断をより正確で簡単にするために、土中水分が電気を通し、その水分量が少なくなるに従って電気抵抗値が上がることを利用し、土（用土）の違いによる感度の調整を可変抵抗を変えることで行い。植物によって異なる土中水分（土湿度）の値を各環境に合わせ変更することが可能であり又、自分流の水やり方式ができる。
【考案が解決するための手段【０００４】いま、その構成を図面に追いながら説明すれば、
（イ）基本的な構造は、電極２と電極４、二つの電極を平行に設置し、その電極間を土（用土）１の種類による通電状態に合わせて、最適な電極間隔を直接通電しないようにして土湿度感知部（センサー部）６を作る。
（ロ）棒パイプ形状の土挿入部８上で、目的の場所の土湿度計測ができるように土湿度感知部（センサー部）６を設置する。
（ハ）電極２と電極４のそれぞれに、電気コード７をつけ、電気抵抗測定回路に接続する。
（ニ）土中に電極２と電極４を差し込み可変抵抗９を調整し目的の土中水分でＬＥＤ８が点灯しないように調節する
【考案の効果】
【０００５】本案は、以上の構造であるから、これを使用するときは、図３のように、対象の土（用土）と植物に対応した電極間５と土湿度感知部６（センサー部）の土湿度計測装置１４を該当植物の周囲の土（用土）１に、該当植物育成に必要な土湿度が計測できる位置に土湿度感知部（センサー部）６がなるように（土湿度感知部位置１３）差し込み通電し電気抵抗値を計測し水分量が少なくなるつまり、植物の水分吸収と乾燥等により水分が少なくなると抵抗が値高くなるので、この抵抗値が設定値を超えた場合ＬＥＤランプが点滅をはじめるこれをもって植物育成に於いて重要な「水やり」の判断がより簡単にできるようになる。
【実施例】
【０００６】なお、本考案の実施に当たって次の如きことができる。
図−３の様に観葉植物の近くに本考案を設置し土中の水分が乾燥しある−電気抵抗値を超えた場合キャラクターの目部分に設置したＬＥＤが点滅発光行なう。又は同時に発音体を用いて発音しても達成することができる。
【産業上の利用可能】
【０００７】本考案は、観葉植物の育成における水やり時期をキャラクターに内蔵したＬＥＤランプより、点滅発光して知らせる方式と装置である。
【図面の簡単な説明】
【０００８】図−１は製品の外形を示した平面図である
図−２は製品を側面から内部を示す断面図である。
図−３は実施例における
【符号の説明】
【０００９】１は土（用土）                    ７は電気抵抗回路
２及び３は  電極                  ８は観葉植物
４はキャラクター人形              ９は植木鉢
５はＬＥＤランプ                  １０は電気コード
６は駆動用電池
【図−１】
0003104980.tif 000002
【図−２】
0003104980.tif 000003
【図−３】
0003104980.tif 000004
【手続補正書】
【提出日】平成16年5月25日(2004.5.25)
【手続補正１】
【補正対象書類名】実用新案登録請求の範囲
【補正対象項目名】全文
【補正方法】変更
【補正の内容】
【実用新案登録請求の範囲】
【請求項１】
観葉植物の育成における水やり時期の目安として、土壌水分の乾燥による電気抵抗値の変化により、ＬＥＤを点滅発光する回路を有することを特徴とする水やりセンサー。
【請求項２】
前記水やりセンサーにおいて、外形をキャラクター人形の形態としその目の部分にＬＥＤを取りつけたことを特徴とする請求項１に記載の水やりセンサー。
【請求項３】
観葉植物の土壌適正水分量は、観葉植物の種類毎に違うため抵抗値を数段階に切り替えられ、適正水分付近に近づける機能を有することを特徴とする請求項１または請求項２に記載の水やりセンサー。
【請求項４】
キャラクター人形の中にスピーカを内蔵させ、ＬＥＤでの発光以外に音によっても水やりの時期がわかるようにしたことを特徴とする請求項２に記載の水やりセンサー。
【手続補正２】
【補正対象書類名】明細書
【補正対象項目名】全文
【補正方法】変更
【補正の内容】
【考案の詳細な説明】
【技術分野】
【０００１】  本考案は、観葉植物の屋内育成における、水やり時期をキャラクター等に内蔵したＬＥＤランプにより、水分量が少なくなったとき点滅させ水やり時期を知らせる簡易表示機即ち水やりセンサーに関するものである。
【背景技術】
【０００２】  従来のこの種センサーは、全般的に土湿度（土中水分）量を計測するものがほとんどであり、植物用に作られている物はまれである。又植物用のものであっても大掛かりな装置と成っており、家庭用の観葉植物の育成のための「水やり」には、下記の（イ）（ロ）（ハ）の点で不十分である。
（イ）構造上、用土、または、植物の種類によって感度調節を簡単にできない。
（ロ）水分量の測定値を個別に植物のタイプに当てはめて換算が必要となる。
乾き等の植物の種類で異なり、適正水分量がわからない
（ハ）観葉植物育成のための土（用土）の湿度は、各家庭において異なる。
従来のものでは、土中水分量は、測定不可能である。
【考案の開示】
【考案が解決しようとする課題】
【０００３】  本考案は、植物の育成に大切な「水やり」作業の指針となるもので、水やり時期の判断をより正確且つ簡単にするために、土中水分が電気を通し、その水分量が少なくなるに従って電気抵抗値が上がることを利用し、土（用土）の違いによる感度の調整を可変抵抗を変えることで行い、植物によって異なる土中水分（土湿度）の値を各環境に合わせ変更することが可能であり又、自分流の水やり方式ができるようにしたものである。
【課題を解決するための手段】
【０００４】  本考案の一例を図面について説明する。
（イ）基本的な構造は、電極２と電極３の二つの電極を平行に設置し、その電極間を土（用土）１の種類による通電状態に合わせて、最適な電極間隔とし、直接通電されないようにして電気コード１０を介して電源部（電池）６に接続する。
（ロ）電極は棒パイプ形状などの土壌に挿入しやすいものとする。
（ハ）電極２と電極３のそれぞれに、電気コード１０をつけ、電気抵抗測定回路７に接続し、これを例えばキャラクター人形などのケース内に一体的に収容する。
（ニ）土中に電極２と電極３を差し込み、抵抗測定回路７の可変抵抗などを調整し、土中水分量が目的の所定値になるまではＬＥＤ５が点灯しないように調節する。
以上（イ）（ロ）（ハ）を有機的に結合した水やりセンサを提供する。
【考案の効果】
【０００５】  本考案は、以上の構造であるから、これを使用するときは、図３のように、対象の植物８が植えられた土（用土）に本装置の電極２，３を差し込んでおくだけで、装置に内蔵された電池６から両電極間を通して土壌に電圧が印加され、その通電抵抗が電気抵抗回路７で検知される。この抵抗が所定値以上となったときＬＥＤランプ５が点灯または点滅するので、これによって植物育成ににおいて重要な「水やり」の時期をより簡単且つ確実に判断できる。
【実施例】
【０００６】なお、本考案の実施に当たって次の如きことができる。
図３の様にＬＥＤランプをキャラクタ人形の目の部分に装備しておき、観葉植物の近くに本考案の装置を設置し、土中の水分が乾燥しその通電抵抗が所定の電気抵抗値を超えた場合キャラクターの目部分が点滅発光するように構成する。又は同時に発音体を用いて発音しても達成することができる。
【産業上の利用可能】
【０００７】本考案は、観葉植物の育成における水やりの時期をキャラクターなどに内蔵したＬＥＤランプより、点滅発光して知らせる装置である。
【図面の簡単な説明】
【０００８】
【図１】本考案実施例の装置の外形を示す正面図である。
【図２】本考案実施例装置の内部を示す断面図である。
【図３】本考案実施例装置を植木鉢に適用した例を示す図である。
【符号の説明】
【０００９】１  土（用土）
２及び３  電極
４  キャラクター人形
５  ＬＥＤランプ
６  駆動用電池
７  電気抵抗回路
８  観葉植物
９  植木鉢
１０  電気コード
【手続補正３】
【補正対象書類名】図面
【補正対象項目名】全図
【補正方法】変更
【補正の内容】
【図１】
0003104980.tif 000005
【図２】
0003104980.tif 000006
【図３】
0003104980.tif 000007